(57)【要約】      （修正有）【課題】簡便な構成で携帯電話が使用され又は電源が入っていることを検出して警告を行う。【解決手段】携帯電話機からの無線信号を受信し、携帯電話機が使用されていることを検出して警告を行い又は携帯電話の使用に関する情報を予め定めた方法で通報する携帯電話監視装置であって、携帯電話機が発生する無線信号の持続時間と強度を基に携帯電話機の使用の有無を判別し、携帯電話機が使用されていると判別した際に警告又は通報を行う。【選択図】図１
2016075996.tif 000002
【特許請求の範囲】
【請求項１】
携帯電話機からの無線信号を受信し、前記携帯電話機が使用されていることを検出して警告を行い又は前記携帯電話機の使用に関する情報を予め定めた方法で通報する携帯電話監視装置であって、
前記携帯電話機が発生する無線信号の持続時間と強度を基に前記携帯電話機の使用の有無を判別し、前記携帯電話機が使用されていると判別した際に前記警告又は前記通報を行うことを特徴とする携帯電話監視装置。
【請求項２】
携帯電話監視装置が疑似電波送信部を備え、
該疑似電波送信部が、携帯電話監視装置の置かれた監視区域をカバーする基地局以外の基地局からの電波と同じ周波数で且つ、所定の出力を超えない疑似電波を送信することを特徴とする請求項１に記載の携帯電話監視装置。
【請求項３】
前記疑似電波送信部が複数備えられ、複数の携帯電話基地局からの電波と同じ周波数で且つ、所定の出力を超えない疑似電波を交互に送信することを特徴とする請求項２に記載の携帯電話監視装置。
【請求項４】
前記携帯電話監視装置が、音声発生装置を備え、前記通報が音声信号で行われることを特徴とする請求項１乃至３の何れかに記載の携帯電話監視装置。
【請求項５】
前記携帯電話監視装置が、表示装置を備え、前記通報が表示装置での表示によって行われることを特徴とする請求項１乃至４の何れかに記載の携帯電話監視装置。
【請求項６】
前記表示が、前記無線信号の強度に応じて変化することを特徴とする請求項５に記載の携帯電話監視装置。
【請求項７】
前記携帯電話監視装置が、電話回線への接続部を有し、該電話回線を介して、前記通報が行われることを特徴とする請求項１乃至６何れかに記載の携帯電話監視装置。
【発明の詳細な説明】
【技術分野】
【０００１】
本発明は、携帯電話の使用を部外者へ通知する携帯電話監視装置に関する。
【背景技術】
【０００２】
電車の中や病院等で、携帯電話等の携帯無線機の電波が発信された場合、電磁波により、他の電子機器の動作に干渉を及ぼす恐れがある。一般的には、上記のような交通機関内や公共の場における携帯無線機使用上のマナーや、交通機関利用上の一般的なマナーに関して、モラルアップのためには広告、車内放送、第三者による注意指導等により電波の発信等を自粛を促している。
【０００３】
しかし、常時表示される広告などの警告では、実際に使用している時にタイミング良く表示する事ができないので、効果が少ない。また、携帯電話などは通話をしていなくても、電源が入っている限り自動位置登録などの為に断続的に発信を行っているが、利用者はそれを知らない場合が多い。そこで携帯電話の使用者に使用の自粛を促す警告を発生する装置が知られている（特許文献１参照）。
【０００４】
また、携帯電話機を利用して高額な現金を振り込ませるいわゆる「振り込め詐欺」が急
増している。このような「振り込め詐欺」の手口の一例として、携帯電話機で通話しなが
ら機械的な知識に乏しい被害者にＡＴＭを操作させ、交通事故の示談金などと称して自分の口座に高額な現金を振り込ませるものがある。各金融機関は、ＡＴＭの周囲に注意喚起する張り紙を貼ったりしているが、十分な防止効果が得られているとは言い難い。そこで強制的にＡＴＭの近くでの携帯電話の使用を防止する携帯電話機使用防止装置が知られている（特許文献２参照）。
【先行技術文献】
【特許文献】
【０００５】
【特許文献１】特許４７００２１１号公報
【特許文献２】特開２０１０−９２３０９号公報
【発明の概要】
【発明が解決しようとする課題】
【０００６】
しかしながら、特許文献１に開示される携帯電話の使用を外部へ警報を通知する携帯電話使用警報器は特殊な携帯無線機の使用が前提で汎用性に乏しい。また、特許文献２に開示される携帯電話使用防止システムは使用を防止する範囲の管理が容易でないという問題がある。
【０００７】
そこで、簡便な構成で携帯電話が使用され又は電源が入っていることを検出して警報を出す装置が望まれている。
【課題を解決するための手段】
【０００８】
上記目的を達成するために、請求項１に記載の発明は、携帯電話機からの無線信号を受信し、前記携帯電話機が使用されていることを検出して警告を行い又は前記携帯電話機の使用に関する情報を予め定めた方法で通報する携帯電話監視装置であって、前記携帯電話機が発生する無線信号の持続時間と強度を基に前記携帯電話機の使用の有無を判別し、前記携帯電話機が使用されていると判別した際に前記警告又は前記通報を行うことを特徴とする携帯電話監視装置である。
【０００９】
本発明に係る携帯電話監視装置が設置される監視区域で、携帯電話機が使用されていることを、携帯電話機が発生する無線信号の持続時間と強度を基に携帯電話機の使用の有無を判別して、携帯電話機が使用されていると判別した際に前記通報を行うので、簡便に携帯電話の使用の有無を知ることができる。
【００１０】
請求項２に記載の発明は、携帯電話監視装置が携帯電話基地局からの電波と同じ周波数の電波を送信する疑似電波送信部を備え、該疑似電波送信部が、携帯電話監視装置の置かれた監視区域をカバーする基地局以外の携帯電話基地局からの電波と同じ周波数で且つ、所定の出力を超えない疑似電波を送信することを特徴とする請求項１に記載の携帯電話監視装置である。
【００１１】
携帯電話は通話をしないときでも位置確認のために電波を使って基地局とやり取りする。警戒区域に入る前は、その地域をカバーする基地局を自分の基地局として認識していて、それがマスター局で記録されている。携帯電話機が移動して今まで認識している基地局とは異なる基地局の電波が最強となると、携帯電話機は新たに登録をやり直すための電波を送信する。この携帯電話機からの電波を監視することで携帯電話監視装置は電源の入った携帯電話機の存在を知ることになる。
【００１２】
請求項３に記載の発明は、前記疑似電波送信部が複数備えられ、複数の携帯電話基地局からの電波と同じ周波数で且つ、所定の出力を超えない疑似電波を交互に送信することを特徴とする請求項２に記載の携帯電話監視装置である。
【００１３】
携帯電話機は、受信している複数の基地局からの電波のうち最強の電波の発信局を自分の基地局として認識する。最強の電波の発信局が変わると、自分の存在を知らしめるために、位置登録のための電波を送信する。受信する電波が交互に変更されるとその度に携帯電話機は位置登録の電波を送信するので、電源の入った形態電話機の存在を携帯電話監視装置が知ることになる。
【００１４】
請求項４に記載の発明は、前記携帯電話監視装置が、音声発生装置を備え、前記通報が音声信号で行われることを特徴とする請求項１乃至３の何れかに記載の携帯電話監視装置である。
【００１５】
携帯電話監視装置が音声発生装置を備えているので、使用されている携帯電話を検出したときに、音声発生装置からの音声で場所に応じた警告を発生して使用の中止を求めることができる。
【００１６】
請求項５に記載の発明は、前記携帯電話監視装置が、表示装置を備え、前記通報が表示装置での表示によって行われることを特徴とする請求項１又は４に記載の携帯電話監視装置である。
【００１７】
使用されている携帯電話を検出したときに、音声での警告が適切でない場合に表示装置による視覚に訴える警告を発生して使用の中止を求めることができる。
【００１８】
請求項６に記載の発明は、前記表示が、前記無線信号の強度に応じて変化することを特徴とする請求項５に記載の携帯電話監視装置である。
【００１９】
携帯電話からの信号を検知しないときは、緑色を表示し、検知したときは赤色を表示すると、電源を入れた携帯電話の有無を容易に知ることができる。また、携帯電話からの無線信号の強度を数字を使って段階的に表示すると表示を無線信号強度の表示計としても使える。
【００２０】
請求項７に記載の発明は、前記携帯電話監視装置が、電話回線への接続部を有し、該電話回線を介して、前記通報が行われることを特徴とする請求項１乃至６何れかに記載の携帯電話監視装置である。
【００２１】
携帯電話の使用の有無を、当該携帯電話の使用される場所から離れた場所でも電話回線を介した通報により知ることができる。
【発明の効果】
【００２２】
特許請求の範囲に記載した発明によれば、監視区域での携帯電話の使用を監視区域の内及び外で確実に知ることのできる携帯電話監視装置を提供することができる。
【図面の簡単な説明】
【００２３】
【図１】携帯電話監視装置の構成図である。
【図２】携帯電話を使用していることを検出するフローチャートである。
【図３】位置情報の登録の際の電波を検出するためのフローチャートである。
【発明を実施するための形態】
【００２４】
以下、本発明に係る携帯電話監視装置の好適な実施の形態を図面に基づいて詳細に説明する。説明では主に携帯電話を例として用いるが、本発明はＰＨＳ等の移動電話も対象になる。まず、携帯電話監視装置の基本構成について図１を用いて説明する。アンテナは、送信と受信で共用し、アンテナスイッチ１で送受信を切り替える。
【００２５】
アンテナで１受信された高周波信号は低ノイズ増幅器２で所定の増幅率で増幅される。増幅された高周波信号はＳＡＷフィルター３などの狭帯域フィルター所定のバンド幅の高周波成分のみが選択される。ＳＡＷフィルター３を通過した高周波信号は第２段目の低ノイズ増幅器４でさらに増幅される。低ノイズ増幅器２及び低ノイズ増幅器４は、ＮＦが０．９〜１．５ｄＢ、増幅率１５ｄＢｍａｘのものを選んだ、増幅器の総合的な増幅率は本機の使用環境に応じて自動又は手動で定める。具体的には、増幅器のＡＧＣの設定レベルを調整することで行う。
【００２６】
低ノイズ増幅器で増幅された高周波信号は更にＳＡＷフィルター５で雑音成分を除去される。ＳＡＷフィルター５の出力はその大きさを電力検出部６で検出される。電力検出部は１ＭＨｚ〜４ＧＨｚと広帯域でかつダイナミックレンジが８０ｄＢのものを使用した。
【００２７】
電力検出器の出力はＬＥＤランプなどのレベル表示器へ送られて検出された電力レベルに応じたＬＥＤランプを点灯させることで、アンテナへ入力された高周波信号の大きさを知ることができる。アンテナに指向性を有するものを使えば、アンテナの向きを変えて検出される高周波電力の大きさを調べることで、使用されている携帯電話の位置を特定することも可能である。
【００２８】
携帯電話及びＰＨＳの電波は携帯電話やＰＨＳを運営する会社に割り当てられた電波の帯域を使用する。日本では、例えば表１のようになる。
【００２９】
【表１】
2016075996.tif 000003
【００３０】
ＳＡＷフィルターは割り当てられた帯域毎の通過帯域を有するので電波を検出する帯域毎に必要なチャネルの数だけ低ノイズ増幅器２乃至電力検出器６又はレベル表示器７までを用意することとなる。表１に記載された電波を全て検出対象とする場合には、６チャンネル分の受信回路を用意する。近接する周波数帯、例えば、携帯電話Ａ，Ｂ，Ｃ社の１９２０ＭＨｚ〜１９８０ＭＨｚとＰＨＳの１８８０ＭＨｚ〜１９２０を合わせて、１８８０ＭＨｚ〜１９８０ＭＨｚを一つのチャンネルとすれば、受信器の数を減らすことができる。
【００３１】
携帯電話監視装置は、電波の送信機能も有する。発振器Ａ及び発振器Ｂは携帯電話基地局からの電波と同じ周波数の疑似電波を発生する。発振器Ａ及び発振器Ｂはマイコンにより制御されて電波を生成する。生成された電波は電力増幅器１０により所定の大きさに増幅されアンテナ１から出力される。通常の場合、送信と受信の周波数が異なるのでアンテナを共用してもよい。図１に示した携帯電話監視装置の構成は図示しない電源部により各構成要素に動作のための電源を供給される。電源は商用電力を１次エネルギー源とする定電圧回路で構成しても良いし、また一定の電圧値の直流電圧を供給できるバッテリで構成しても良い。
【００３２】
次に、携帯電話が通話やメールで使用されている場合に使われる電波の検出方法について、図２を用いて説明する。
【００３３】
電波の検出はその電力値の大きさで行うが携帯電話機からの電波を確実に検出するために監視区域での雑音の影響を除去する必要がある。雑音と携帯電話機からの電波の識別はマイコン９に内蔵されるプログラムで行うことが好適であるが、プログラムを含んだＬＳＩとしてＦＰＧＡなどで構成しても良い。
【００３４】
携帯電話監視装置の電源が入る（Ｓ１）と、図１のマイコンに内蔵されたＡＤ変換器（以後、ＡＤＣと略記する）へ入力されるアナログ信号をデジタル化してマイコンへ取り込む（Ｓ２）。デジタル化されるアナログ値は瞬時値なので、外部からのパルス状の雑音の影響を受けやすい。
【００３５】
そこで、ＡＤＣからデータの取り込み回数が１０回を超えるまでデータを取り込む（Ｓ３）。取り込まれたデータはメモリに蓄えられ、直近１０回のデータの平均値が算出される（Ｓ４）。
【００３６】
平均値が求まった後に読み込まれるＡＤＣからの新しい読み込み値の大きさが基準値を２０ｄＢ以上になっているか否かを調べる（Ｓ５）。
【００３７】
新たにＡＤＣから読み込んだ値が平均値よりも２０ｄＢ以上大きな場合はインパルス性の雑音とみなして廃棄する（Ｓ６）。
【００３８】
新たにＡＤＣから読み込んだ値が平均値よりも２０ｄＢを超えない場合はその値を用いて過去データと比較して最少（Ｍｉｎ）と最大（Ｍａｘ）値を決めていく。この作業を電源ＯＮから３０秒経過するまで行う（Ｓ８）。
【００３９】
３０秒間で取得したＭｉｎ、Ｍａｘ値を用いてその平均を取り、基準値を求める（Ｓ９）。この基準値は、周囲雑音及び装置の固有雑音により決まる値である。
【００４０】
基準値が求まると、これ以降に検出されるＡＤＣから読み込まれる値が基準値よりも３０ｄＢ大きい値を超えるか否かを判定する（Ｓ１１）。超えない場合は新たにＡＤＣからのデータの取り込みを行う（Ｓ１０）。
【００４１】
次に基準値を３０ｄＢ超える信号の持続時間を調べる（Ｓ１２）。メールが対象の場合は３０ｍＳを超えて信号の持続が有る場合にアラームを出す。通話の場合は１秒の持続が有る場合にアラームを出す。
【００４２】
アラーム（警告）の種類として、場所に応じて音声、表示を選択することができる。また電話回線へのインタフェイスも有するので固定電話又は携帯電話を経由して遠隔地で、携帯電話の使用に関する監視を行うこともできる。
【００４３】
携帯電話は使用されていなくても電源が入っているとその位置登録のために電波を発信するので、この位置登録用の電波の検出について図３を用いて説明する。
【００４４】
携帯電話機は常時、自らのいる制御ゾーンを移動通信制御局に報告している。そして移動通信制御局ではこれを携帯電話機の位置情報として記憶する。この位置情報の報告のために発する電波の強さは、着信時に発する電波や通話時に発する電波の強さに比べてかなり低く設定されており検出に工夫が必要である。具体的には、位置登録に用いられる周波数を選択する狭帯域のＳＡＷフィルターを用いる。
【００４５】
携帯電話機は携帯電話基地局からのエリア情報と自分が登録しているエリア情報と比較して、異なっている場合に自分の新しい位置を登録するべく位置登録用の電波を発信する。
【００４６】
携帯電話機を外部から監視区域へ電源を切って持ち込む場合は、携帯電話機が電源ＯＮすると携帯電話機が登録しているエリアコードと異なる場所が監視区域の場合に、携帯電話機は位置登録用の電波を送信する。
【００４７】
電源が入っている携帯電話機に強制的に位置登録用電波を送信させるために２つの異なる携帯電話基地局の疑似電波を送信する。発振器Ａからは周波数１を発信し（Ｓ２１）、所定の時間を置いて発振器Ｂから周波数２を送信する（Ｓ２２）。携帯電話機は一番強い位置登録電波を自分をカバーする基地局として認識して位置登録を行う。従って、一番強い電波が切り替わるとそのたびに位置登録を行うための位置登録電波の送信を行うので、携帯使用監視装置はこの位置登録電波を受信して、監視区域に置かれた携帯電話機を発見することができ、アラームを生成する（Ｓ２４）。
【００４８】
アラームは携帯電話機を使用している者に、使用を自粛するように警告を与える機能を有する。特に、図書館やコンサートホールや映画館、またバスや列車の中など、音を発すると他人に迷惑をかける場所においては、発光ダイオードやランプ等から成る発光手段による警告が適している。
【００４９】
アラームの内容は、単に発光手段が発光したり、点滅したりさせるだけで使用者に警告を発する構成としてもよいが、さらに使用者に確実に携帯電話機の使用の自粛を訴えるようにするために、「携帯電話の使用はお控えください」、「携帯電話の電源を切ってください」等の警告メッセージを発光手段により点灯又は点滅させるようにする。
【００５０】
また、会議室や、病院の中（待合室や通路、病室等）においては音を発しても騒音としてそれ程問題になることは少ない。よって、光による警告に代えて音を流すことにより警告を与える構成としている。具体的には放送を用いて警告用メッセージを放送し、使用の自粛を呼びかけるようにする。警告メッセージは予め録音テープに記録しておいたものを再生して流しても良いし、ディジタルデータとして記憶したメッセージを音声合成によりアナログ信号に変換して放送するようにしても良い。
【００５１】
以上の構成により、携帯電話機を使用している者に加え電源が入って携帯電話機を持っている者に対して的確に警告することができるため、監視区域での携帯電話使用の自粛効果が上がる。
【００５２】
上記の構成を大きさ１０ｃｍ角、高さ２ｃｍの筐体へ収め電池駆動で動作させることができる。アンテナは内部アンテナの他に、外部アンテナへの接続端子を設けることで、感度の上昇を図れる。本機は、企業の応接室や会議室、飲食店、航空機内、交通機関内、病院など医療機関内、学校、試験会場、ＡＴＭの近傍、工場や研究所などカメラ持ち込み制限区域などで使われる。また、本機は小型で軽量なので複数台を高指向性のアンテナと組合わせることで試験会場などでの不正な携帯電話の使用者の特定にも使える。
【００５３】
以上、本発明の好適な実施の形態について種々述べてきたが、本発明は上述する実施の形態に限定されるものではなく、発明の精神を逸脱しない範囲で多くの改変を施し得るのはもちろんである
【符号の説明】
【００５４】
１  アンテナ
２  低ノイズ増幅器
３  ＳＡＷフィルター
４  低ノイズ増幅器
５  ＳＡＷフィルター
６  電力検出器
７  受信レベル表示器
８  ＡＤコンバータ
９  マイコン
１０  電力増幅器
１１  発振器Ａ
１２  発振器Ｂ
【図１】
2016075996.tif 000004
【図２】
2016075996.tif 000005
【図３】
2016075996.tif 000006